(57)【要約】【課題】表示映像の状況変化に関わらず，液晶パネルに表示される映像（動画）の視覚的な明るさを良好に保つことができること。【解決手段】映像処理回路２により入力映像信号の平均輝度レベルを検出し，調光回路７及びメイン制御回路８により，前記平均輝度レベルの最新値と予め定められた時間内における前記平均輝度レベルの変化度とに基づいて，バックライト光源６の輝度を自動調節する。その際，前記平均輝度レベルの変化度が大きいときの方が，その変化度が小さいときよりも前記平均輝度レベルの最新値に応じたバックライト光源６の輝度の調節幅を大きくする。【選択図】図１
2009186802.tif 000002
【特許請求の範囲】
【請求項１】
入力映像信号に基づく映像を表示する液晶パネルと，該液晶パネルを照明する光源と，を備えた液晶表示装置であって，
前記入力映像信号の特徴量を検出する映像信号特徴量検出手段と，
前記入力映像信号の特徴量の最新値と予め定められた時間内における前記特徴量の変化度とに基づいて前記光源の輝度を自動調節する光源輝度調節手段と，
を具備してなることを特徴とする液晶表示装置。
【請求項２】
前記入力映像信号の特徴量が，前記入力映像信号の映像輝度の指標値である請求項１に記載の液晶表示装置。
【請求項３】
前記光源輝度調節手段が，前記映像輝度の指標値の変化度が大きいときの方が該変化度が小さいときよりも前記映像輝度の指標値の最新値に応じた前記光源の輝度の調節幅を大きくしてなる請求項２に記載の液晶表示装置。
【請求項４】
前記映像輝度の指標値が，前記入力映像信号の平均輝度レベルである請求項２に記載の液晶表示装置。
【請求項５】
前記映像信号特徴量検出手段が，１フレーム分の前記入力映像信号ごとに前記特徴量を検出してなる請求項１〜４のいずれかに記載の液晶表示装置。
【請求項６】
前記光源輝度調節手段が，
前記特徴量の変化度に応じて前記特徴量と前記光源の輝度調節用の制御値との対応関係を表す調光情報を設定し，該調光情報と前記特徴量の最新値とに基づいて前記光源の輝度を自動調節してなる請求項１〜５のいずれかに記載の液晶表示装置。
【請求項７】
前記光源輝度調節手段が，
予め記憶手段に記憶された複数の前記調光情報の候補の中から１つの候補を前記特徴量の変化度に応じて選択することにより，前記光源の輝度の自動調節に用いる前記調光情報を設定してなる請求項６に記載の液晶表示装置。
【請求項８】
前記調光情報が，前記特徴量と前記光源の輝度調節用の制御値との対応関係を表すルックアップテーブル情報又は演算式の情報である請求項６又は７のいずれかに記載の液晶表示装置。
【請求項９】
前記光源輝度調節手段が，前記特徴量の変化度に応じて前記調光情報を設定する処理を実行する処理を，前記調光情報と前記特徴量の最新値とに基づいて前記光源の輝度を自動調節する処理よりも長い周期で実行してなる請求項６〜８のいずれかに記載の液晶表示装置。
【発明の詳細な説明】
【技術分野】
【０００１】
本発明は，液晶表示装置に関するものである。
【背景技術】
【０００２】
一般に，液晶表示装置は，入力映像信号に基づく映像（動画）を表示する液晶パネル，及びその液晶パネルをその背面側から照明する光源（バックライト）とを備えている。
液晶表示装置において，表示映像の視覚的な明るさ（見る人が感じる明るさ）は，表示映像全体の映像輝度のレベル（映像の階調レベル）とバックライト用の光源の輝度とのバランスによって左右される。具体的には，表示映像全体の映像輝度のレベルが高くなれば，光源輝度を下げることによって眩しさを緩和し，表示映像全体の映像輝度のレベルが低くなれば，光源輝度を上げることによって映像の明るさを十分に確保することが望ましい。
これに対し，特許文献１には，液晶表示装置において，１フレーム分の入力映像信号ごとにその特徴量（映像輝度）を検出し，その特徴量に応じてバックライト用の光源の輝度を自動調節することが提案されている。
【特許文献１】特開２００７−４７７３３号公報
【発明の開示】
【発明が解決しようとする課題】
【０００３】
ところで，液晶表示装置の利用者が表示映像を見たときに感じる明るさ（視覚的な明るさ）は，その表示映像全体の映像輝度のレベル及びバックライト用の光源の輝度が同じであっても，残像の影響により，過去数秒から十数秒程度の間に見た映像の変化によって異なる場合がある。
例えば，前記利用者は，ある時点の表示映像の輝度が比較的高い場合，その時点までに同程度の明るさの映像が継続して表示されていた場合よりも，その時点以前により暗い映像が継続して表示されていた場合の方が，前記ある時点の表示映像がより明るいと感じる。また，前記利用者は，ある時点の表示映像の輝度が比較的低い場合，その時点までに同程度の明るさの映像が継続して表示されていた場合よりも，その時点以前により明るい映像が継続して表示されていた場合の方が，前記ある時点の表示映像がより暗いと感じる。
しかしながら，特許文献１に示される技術は，１フレーム分の入力映像信号ごとに検出される最新の特徴量（映像輝度）に応じてバックライト用の光源の輝度が調節されるため，過去の表示映像の状況によっては，表示映像（動画）の視覚的な明るさを良好に保てない状況が生じ得るという問題点があった。
従って，本発明は上記事情に鑑みてなされたものであり，その目的とするところは，表示映像の状況変化に関わらず，液晶パネルに表示される映像（動画）の視覚的な明るさを良好に保つことができる液晶表示装置を提供することにある。
【課題を解決するための手段】
【０００４】
上記目的を達成するために本発明に係る液晶表示装置は，入力映像信号に基づく映像を表示する液晶パネルと，その液晶パネルを照明する光源とを備え，さらに次の（１）及び（２）に示す各構成要素を備える。
（１）前記入力映像信号の特徴量を検出する映像信号特徴量検出手段。
（２）前記入力映像信号の特徴量の最新値と予め定められた時間内における前記特徴量の変化度とに基づいて前記光源の輝度を自動調節する光源輝度調節手段。
ここで，前記入力映像信号の特徴量の典型例は，前記入力映像信号の映像輝度の指標値であり，例えば，前記入力映像信号の平均輝度レベル（ＡＰＬ(Average Picture Level)）等である。
また，前記映像信号特徴量検出手段は，例えば，１フレーム分の前記入力映像信号ごとに前記特徴量を検出する。
【０００５】
本発明に係る液晶表示装置は，前記入力映像信号の特徴量の変化度（即ち，表示映像の状況変化）に応じて，前記入力映像信号の特徴量の最新値（即ち，瞬時値）に応じたバックライト用の前記光源の輝度の調節内容を変更することができる。
より具体的には，前記入力映像信号の特徴量が，前記入力映像信号の映像輝度の指標値である場合，前記光源輝度調節手段が，前記映像輝度の指標値の変化度が大きいときの方が，その変化度が小さいときよりも前記映像輝度の指標値の最新値に応じた前記光源の輝度の調節幅を大きくすることが考えられる。
これにより，後述するように，前記液晶パネルに表示される映像（動画）の視覚的な明るさを良好に保つことができる。なお，前記入力映像信号の映像輝度の指標値の典型例として，前記入力映像信号の平均輝度レベルが考えられる。
また，前記光源輝度調節手段が，前記特徴量の変化度に応じて前記調光情報を設定する処理を実行する処理を，前記調光情報と前記特徴量の最新値とに基づいて前記光源の輝度を自動調節する処理よりも長い周期で実行することが考えられる。
これは，比較的応答の鈍い視覚の残像に対応する制御については比較的長い時間内における映像輝度の変化に応じて行い，短時間で大きく変化し得る前記特徴量の瞬時値（最新値）に対応する制御については短時間のサイクルで行うということである。これにより，バックライト用の前記光源の輝度の調節が目的に応じて適切に行われる。
【発明の効果】
【０００６】
本発明によれば，入力映像信号の特徴量の変化度に応じて，その特徴量の最新値に応じたバックライト用の光源の輝度の調節内容を変更することができるため，表示映像の状況変化に関わらず，液晶パネルに表示される映像（動画）の視覚的な明るさを良好に保つことができる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る液晶表示装置Ｘの主要部の構成を表すブロック図，図２は液晶表示装置Ｘが実行するバックライト光源の輝度調節手順の一例を表すフローチャート，図３は液晶表示装置Ｘが記憶する調光情報の候補の一例をグラフ化した図である。
【０００８】
まず，図１に示すブロック図を参照しつつ，本発明の実施形態に係る液晶表示装置Ｘの主要部の構成について説明する。
図１に示すように，液晶表示装置Ｘは，映像信号入力部１，映像処理回路２，液晶駆動回路３，液晶パネル４，インバータ回路５，バックライト光源６，調光回路７，メイン制御回路８等を備えている。
前記映像信号入力部１は，映像信号を入力するインターフェースである。以下，この映像信号入力部１を通じて入力される映像信号を入力映像信号と称する。
また，前記映像処理回路２は，１フレーム分の前記入力映像信号に基づいて，動画における１コマの画像を構成する各画素の３原色（Ｒ，Ｇ，Ｂ）それぞれの映像輝度（画素階調）を表すフレーム信号を順次生成し，そのフレーム信号を前記液晶駆動回路３に伝送する回路である。また，前記映像処理回路２は，前記入力映像信号の映像輝度の指標値を算出する処理も行うが，その内容については後述する。
前記液晶駆動回路３は，前記映像処理回路２から所定周期で順次伝送されてくる前記フレーム信号に基づいて，そのフレーム信号に対応する１フレーム分の映像（１コマの画像）を前記液晶パネル４に順次表示させる回路である。これにより，前記液晶パネル４（前記映像表示部に相当）は，前記入力映像信号に基づく映像（動画）を表示する。
【０００９】
前記バックライト光源６は，複数の冷陰極管からなる光源を備え，前記液晶パネル４をその背面側から照明するものである。前記バックライト光源６は，複数の冷陰極管及びＬＥＤを含むものである場合や，複数のＬＥＤからなる場合もある。
前記インバータ回路５は，前記調光回路７からの制御指令（デューティー比の指定）に従って，前記バックライト光源６に対する供給電力をＰＷＭ制御によって調節する回路である。
前記メイン制御回路８は，演算手段であるＭＰＵ８１及び不揮発性メモリであるＥＥＰＲＯＭ８２等を備え，前記ＭＰＵ８１が不図示のＲＯＭに記憶された制御プログラムを実行することにより，当該液晶表示装置Ｘが備える各構成要素の制御処理を実行するものである。
【００１０】
また，前記調光回路７は，演算回路７１及びレジスタ７２を備えた回路であり，前記演算回路７１が，前記レジスタ７２に記憶（格納）された情報（後述する設定調光情報Ｄ１）に基づいて，前記バックライト光源６の輝度を決定するとともに，決定した輝度に応じて前記バックライト光源６に対する供給電力調節用の制御値であるデューティー比を決定し，そのデューティ比を前記インバータ回路５に対して設定（出力）する。前記インバータ回路５は，前記調光回路７により設定されたデューティ比に従ったＰＷＭ制御を行うことにより，前記バックライト光源６に対する供給電力を調節する。なお，前記調光回路７は，例えばＦＰＧＡやＡＳＩＣ等により具現化されている。また，前記調光回路７が，ＤＣ電圧のレベル調節によって前記バックライト光源６の調光を行うことも考えられる。
【００１１】
また，前記映像処理回路２は，１フレーム分の前記入力映像信号が入力されるごとに，その映像信号の映像輝度の指標値として，平均輝度レベル（いわゆるＡＰＬ(Average Picture Level)）を算出し，その算出結果（ＡＰＬの最新値）を不図示のバッファに蓄積（記録）するとともに，前記調光回路７に伝送する。前記平均輝度レベル（ＡＰＬ）は，１フレーム分の前記入力映像信号における全画素の３原色（Ｒ，Ｇ，Ｂ）の映像輝度の加重平均値である。前記平均輝度レベルは，前記入力映像信号の特徴量の一例であり，前記映像処理回路２が，その特徴量を検出する手段（映像信号特徴量検出手段）の一例である。なお，前記バッファには，直近の予め定められた数（以下，変化度算出フレーム数ｆａという）のＡＰＬの値が蓄積される。
【００１２】
さらに，前記映像処理回路２は，予め定められたフレーム数（以下，変化度監視フレーム数ｆｂという）に相当する前記入力映像信号が入力されるごとに，前記バッファに蓄積された前記平均輝度レベルの値に基づいて，予め定められた時間内における前記平均輝度レベルの変化度ΔAPLを算出し，その算出結果（ＡＰＬの変化度）を前記メイン制御回路８に伝送する。
ここで，１フレーム分の前記入力映像信号は，一定周期で入力されるので，前記バッファには，予め定められた時間分の前記入力映像信号についての１フレーム分ごとの前記平均輝度レベルが蓄積されることになる。そして，前記変化度算出フレーム数ｆａは，例えば，１フレーム（ｆａ＝１）である。なお，前記変化度算出フレーム数ｆａに２以上の数が予め設定されることも考えられる。
また，前記平均輝度レベルの変化度ΔAPLは，例えば，直近の数百ミリ秒〜数秒の期間（例えば，１秒程度の期間：以下，直近期間という）における前記平均輝度レベルの平均値Ｖｎが，前記直近期間以前の数秒〜十数秒の期間（例えば，１０秒程度：以下，過去期間という）における前記平均輝度レベルの平均値Ｖｏに対してどの程度変化したかを表す指標値である。より具体的には，前記平均輝度レベルの変化度ΔAPLは，過去の平均値Ｖｏと直近の平均値Ｖｎとの差（｜Ｖｎ−Ｖｏ｜）や，その差と過去の平均値Ｖｏとの比（｜Ｖｎ−Ｖｏ｜／Ｖｏ），或いはそれらを正規化した値等が考えられる。
このようにして前記映像処理回路２が算出する前記平均輝度レベルの変化度ΔAPLは，予め定められた時間内（例えば，数秒〜十数秒程度）における前記入力映像信号の平均輝度レベルの変化の程度を表す指標値である。
そして，前記メイン制御回路８及び前記調光回路７は，前記映像処理回路２により検出（算出）された前記平均輝度レベル（入力映像信号の特徴量の一例）の最新値（瞬時値）とその平均輝度レベルの変化度ΔAPLとに基づいて，前記バックライト光源６の輝度を自動調節する。なお，前記バックライト光源６の輝度調節は，前記バックライト光源６に対する供給電力（以下，光源電力という）の調節により行われる。
【００１３】
また，前記メイン制御回路８が備える前記ＥＥＰＲＯＭ８２には，前記平均輝度レベルと前記バックライト光源６の輝度の調節値（設定値）を表す光源設定輝度との対応関係を表す調光情報の候補Ｄ１ｉ（複数の候補）が予め記憶されている。
図３は，前記ＥＥＰＲＯＭ８２に記憶される前記調光情報の候補Ｄ１ｉの一例をグラフ化した図である。
図３に示されるように，複数の前記調光情報の候補Ｄ１ｉは，いずれも，概ね，前記平均輝度レベルが高いときの方が，そのレベルが低い場合よりも，前記光源設定輝度を低く調節する設定された情報である。しかしながら，複数の前記調光情報の候補Ｄ１ｉは，前記平均輝度レベルに対する前記光源設定輝度の調節幅がそれぞれ異なる。
図３には，前記平均輝度レベルに対する前記光源設定輝度の調節幅が最も小さな第１の調光情報の候補Ｄ１１と，前記光源設定輝度の調節幅が最も大きな第３の調光情報の候補Ｄ１３と，それらの中間の調節幅である第２の調光情報の候補Ｄ１２とが示されている。
なお，前記ＥＥＰＲＯＭ８２に記憶される前記調光情報の候補Ｄ１ｉは，前記平均輝度レベルと前記光源設定輝度との対応関係を表すルックアップテーブル情報，或いは演算式の情報等である。
そして，液晶表示装置Ｘにおいては，前記メイン制御回路８及び前記調光回路７が，前記平均輝度レベルの変化度ΔAPLに基づいて，複数の前記調光情報の候補Ｄ１ｉの中から１つの候補（調光情報）を選択し，選択した調光情報（以下，設定調光情報Ｄ１という）と前記平均輝度レベルの最新値とに基づいて前記バックライト光源６の輝度を自動調節する（光源輝度調節手段の一例）。
なお，前記設定調光情報Ｄ１は，前記液晶パネル４の表示映像の明るさを，鑑賞者にとって眩しい或いは暗いと感じさせない良好な状態に維持するために，１フレーム分の映像全体の平均輝度（ＡＰＬ）に応じて，前記バックライト光源６の輝度（発光量）をどの程度に調節すべきかを表す情報である。
【００１４】
続いて，図２に示すフローチャートを参照しつつ，前記メイン制御回路８及び前記調光回路７による前記バックライト光源６の輝度調節処理の一例について詳述する。図２に示す輝度調節処理は，液晶表示装置Ｘの通電開始時（電源ＯＮ操作がなされた時点）から開始される。なお，以下に示すＳ１，Ｓ２，…は，処理手順（ステップ）の識別符号を表す。
まず，前記メイン制御回路８における前記ＭＰＵ８１が，予め前記ＥＥＰＲＯＭ８２に記憶された複数の調光情報の候補Ｄ１ｉの中から予め定められた１つの候補（調光情報）を選択し，選択した情報を制御に用いる前記設定調光情報Ｄ１として前記調光回路７のレジスタ７２に記録する（Ｓ１）。例えば，前記ＭＰＵ８１は，前記光源設定輝度の調節幅が最も小さな前記第１の調光情報の候補Ｄ１１を，デフォルトの前記設定調光情報Ｄ１として選択する。
次に，１フレーム分の前記入力映像信号が入力されるごとに，前記調光回路７における前記演算回路７１が，前記映像処理回路２からその１フレーム分の前記入力映像信号について検出された前記平均輝度レベルの最新値を取得する（Ｓ２）。
さらに，前記演算回路７１は，前記レジスタ７２に記憶されている前記設定調光情報Ｄ１と前記平均輝度レベルの最新値とに基づいて，その平均輝度レベルの最新値に応じた前記光源設定輝度を算出する（Ｓ３）。
さらに，前記演算回路７１は，ステップＳ３で算出した前記光源設定輝度に応じた調光処理を実行する（Ｓ４）。具体的には，前記演算回路７１は，ステップＳ３で算出した前記光源設定輝度を，予め定められた換算規則に従って，前記バックライト光源６に対する供給電力調節用の制御値であるデューティー比に換算し，そのデューティ比を前記インバータ回路５に対して設定（出力）する。
これにより，前記インバータ回路５は，前記調光回路７により設定されたデューティ比に従ったＰＷＭ制御を行うことにより，前記バックライト光源６に対する供給電力を調節する。
以上に示したステップＳ２〜Ｓ４の処理は，１フレーム分の前記入力映像信号が入力されるごとに繰り返し実行される。
【００１５】
一方，前記メイン制御回路８における前記ＭＰＵ８１は，ステップＳ１の処理の終了後，前記変化度監視フレーム数ｆｂ（例えば，ｆｂ＝１）に相当する前記入力映像信号が入力されるごとに，前記映像処理回路２により検出された前記平均輝度レベルの変化度ΔAPLを取得する（Ｓ５）。
さらに，前記ＭＰＵ８１は，予め前記ＥＥＰＲＯＭ８２に記憶された複数の前記調光情報の候補Ｄ１ｉの中から１つの候補を前記変化度ΔAPLに応じて選択することにより前記設定調光情報Ｄ１を決定し，その設定調光情報Ｄ１を前記調光回路７の前記レジスタ７２に記録する（Ｓ６）。これ以降，前記調光回路７は，新たに前記レジスタ７２に記録された前記設定調光情報Ｄ１に基づいて前記調光処理（Ｓ４）を実行する。
なお，このステップＳ６の処理は，予め記憶手段に記憶された複数の前記調光情報の候補Ｄ１ｉの中から１つの候補を前記入力映像信号の特徴量の変化度に応じて選択することにより，前記バックライト光源６の輝度の自動調節に用いる前記設定調光情報Ｄ１を設定する処理の一例である。
以上に示したステップＳ５及びＳ６の処理は，前記変化度監視フレーム数ｆｂに相当する前記入力映像信号が入力されるごと（即ち，前記変化度ΔAPLが検出されるごと）に繰り返し実行される。
【００１６】
前記ステップＳ６において，前記ＭＰＵ８１は，前記変化度ΔAPLが大きいときの方が前記変化度ΔAPLが小さいときよりも，前記平均輝度レベルに応じた前記光源設定輝度の調節幅が大きな前記調光情報の候補Ｄ１ｉを選択する。
例えば，前記ＭＰＵ８１は，前記変化度ΔAPLの大きさが，予め定められた複数のランク（例えば，「変化大」，「変化中」，「変化小」）のいずれに該当するかを判別し，そのランクが「変化小」であるときは前記第１の調光情報の候補Ｄ１１を，そのランクが「変化中」であるときは前記第２の調光情報の候補Ｄ１２を，そのランクが「変化大」であるときは前記第３の調光情報の候補Ｄ１３を前記設定調光情報Ｄ１として選択する。
これにより，前記調光回路７による前記平均輝度レベルの最新値に応じた前記バックライト光源６の輝度の調節幅は，前記平均輝度レベルの変化度ΔAPLが大きいときの方がその変化度ΔAPLが小さいときよりも大きくなる。
従って，例えば，ある時点の表示映像の輝度が比較的高い場合，前記バックライト光源６の輝度（前記光源設定輝度）は，その時点までに同程度の明るさの映像が継続して表示されていた場合よりも，その時点以前により暗い映像が継続して表示されていた場合の方が低い輝度に設定される。
また，ある時点の表示映像の輝度が比較的低い場合，前記バックライト光源６の輝度（前記光源設定輝度）は，その時点までに同程度の明るさの映像が継続して表示されていた場合よりも，その時点以前により明るい映像が継続して表示されていた場合の方が高い輝度に設定される。
その結果，過去の表示映像の輝度に応じて変化する視覚の残像の強さに応じた前記バックライト光源影響６の輝度調節が行われ，表示映像の輝度変化に関わらず，前記液晶パネル４に表示される映像（動画）の視覚的な明るさが良好に保たれる。
【００１７】
また，液晶表示装置Ｘにおいて，前記ＭＰＵ８１が，比較的長い時間（複数フレーム分の前記入力映像信号）における前記平均輝度レベルの変化度ΔAPLに応じて前記設定調光情報D１を設定し，これと並行して，前記演算回路７１が，１フレーム分の前記入力映像信号ごとに（短い時間のサイクルで），その映像信号の平均輝度レベル（最新値）と前記設定調光情報Ｄ１とに基づく前記バックライト光源６の輝度調節処理（Ｓ２〜Ｓ４）を実行する。
即ち，液晶表示装置Ｘは，比較的応答の鈍い視覚の残像に対応する制御については比較的長い時間内における映像輝度の変化に応じて行い，１フレーム分の映像ごとに（短時間で）大きく変化し得る前記平均輝度レベル（ＡＰＬ）の瞬時値（最新値）に対応する制御については１フレーム分の信号入力ごとに行う。これにより，前記バックライト光源６の輝度調節が目的に応じて適切に行われる。
【００１８】
以上に示した実施形態では，前記映像処理回路２が，１フレーム分の前記入力映像信号の特徴量として前記平均輝度レベル（ＡＰＬ）を算出したが，その他，全画素の映像輝度を合計した輝度や，３原色のうちのいずれか特定の色（例えば，緑色）の映像信号における映像輝度の平均値や合計値等，他の特徴量を採用することも考えられる。
また，前記入力映像信号の特徴量は，１フレーム分の信号ごとに最新値を検出（算出）することの他，例えば，２〜３フレーム分の信号ごとに最新値を検出すること等も考えられる。
また，前記光源設定輝度の算出（決定）方法は，前記実施形態に示した方法以外に，例えば，以下に示す方法も考えられる。
例えば，前記レジスタ７２に，前記平均輝度レベルに対する前記光源設定輝度の調節幅が最も小さな前記第１の調光情報の候補Ｄ１１と，前記光源設定輝度の調節幅が最も大きな前記第３の調光情報の候補Ｄ１３とを予め記憶させておく。
そして，前記演算回路７１が，前記平均輝度レベルの最新値と前記第１の調光情報の候補Ｄ１１とに基づいて第１の光源設定輝度を算出し，さらに，前記平均輝度レベルの最新値と前記第３の調光情報の候補Ｄ１３とに基づいて第２の光源設定輝度を算出する。
さらに，前記演算回路７１が，前記平均輝度レベルの変化度ΔAPLに応じた重み係数を設定し，その重み係数を用いて，前記第１の光源設定輝度と前記第２の光源設定輝度との加重平均値を算出することにより，輝度調節に用いる前記光源設定輝度を算出する。このとき，前記変化度ΔAPLが大きいほど，前記光源設定輝度の調節幅が大きな前記第３の調光情報の候補Ｄ１３に基づく前記第２の光源設定輝度に対する重み係数を大きくする。
以上のような前記光源設定輝度の算出方法によっても，前述した実施形態と同様の作用効果が得られる。
【産業上の利用可能性】
【００１９】
本発明は，液晶表示装置への利用が可能である。
【図面の簡単な説明】
【００２０】
【図１】本発明の実施形態に係る液晶表示装置Ｘの主要部の構成を表すブロック図。
【図２】液晶表示装置Ｘが実行するバックライト光源の輝度調節手順の一例を表すフローチャート。
【図３】液晶表示装置Ｘが記憶する調光情報の候補の一例をグラフ化した図。
【符号の説明】
【００２１】
Ｘ  ：液晶表示装置
１  ：映像信号入力部
２  ：映像処理回路
３  ：液晶駆動回路
４  ：液晶パネル
５  ：インバータ回路
６  ：バックライト光源
７  ：調光回路
７１：演算回路
７２：レジスタ
８  ：メイン制御回路
８１：ＭＰＵ
８２：ＥＥＰＲＯＭ
【図１】
2009186802.tif 000003
【図２】
2009186802.tif 000004
【図３】
2009186802.tif 000005